(57)【特許請求の範囲】
【請求項１】
立設面に固定可能な固定部と、輪ゴムを着脱可能に保持する保持部と、前記輪ゴムの前記保持部に対する着脱用の案内部とを備えた輪ゴムホルダーであって、
前記保持部は、前記固定部から横方向外方に突出するとともに、前記輪ゴムが自然状態で前記保持部に保持されているときに、前記保持部の下方と前記輪ゴムの下方との間に隙間が形成される外形に形成しており、
前記案内部は、前記保持部の端部に固定するとともに、少なくとも前記案内部の上方を上端が前記保持部の上端よりも高くなるように大きく形成し、前記案内部の下方を前記保持部よりも下方に位置する先細状の先端部に形成し、
前記保持部の下方を、前記案内部に平行な縦断面が上方に膨出する窪み部に形成し、
前記案内部の下方中央を、上方が前記窪み部に合致する形状の凸状切欠部に形成し、
前記案内部の先細状の先端部は、前記凸状切欠部の左右下端からそれぞれ上方外方に延設することにより一対形成していることを特徴とする輪ゴムホルダー。
【請求項２】
前記保持部の窪み部の縦断面及び前記案内部の凸状切欠部は、円弧状であることを特徴とする請求項１に記載の輪ゴムホルダー。
【請求項３】
前記保持部の上部に、外周から下方に向けて前記固定部に直交する複数のスリット状の上部溝を形成するとともに、前記保持部の窪み部に、外周から上方に向けて前記固定部に直交する複数のスリット状の下部溝を形成したことを特徴とする請求項１又は２に記載の輪ゴムホルダー。
【請求項４】
前記固定部、前記保持部及び前記案内部は、合成樹脂製の一体成形品であることを特徴とする請求項３に記載の輪ゴムホルダー。
【請求項５】
前記固定部の裏面には粘着層を設けていることを特徴とする請求項１〜４のいずれかに記載の輪ゴムホルダー。
【発明の詳細な説明】
【技術分野】
【０００１】
本発明は、輪ゴムを必要に応じて着脱するための輪ゴムホルダーに関し、特に、固定部と、固定部から突出する保持部と、保持部の端部に固定された案内部とを備え、案内部の下方を先細状の先端部として、複数の輪ゴムをまとめて輪ゴムホルダーに容易に装着できながら、１本の輪ゴムの輪ゴムホルダーからの取外しが簡単で確実に行えるようにした技術である。
【背景技術】
【０００２】
従来、家庭や事務所などにおいて、輪ゴムを保持しておき、輪ゴムの使用時に１本を取外して使用できる構造を備えた輪ゴムホルダーが知られている（例えば、特許文献１、特許文献２参照）。
特許文献１に記載された輪ゴムホルダーは、板状の基台と、輪ゴムが掛止できる切り欠き状の輪ゴム保持部を左右に有し、基台の表面に対して裏面が対向するように間隔を隔てて並設される板状の表装台とを有し、輪ゴム保持部の先端部近傍に、基台と表装台とのそれぞれに他方に対して突出した突起状の突出部を、両突出部の間隔が輪ゴムの厚みより狭くなるように突出させて、１本の輪ゴムだけを取り出して使用できるようにしている。
【０００３】
また、特許文献２に記載された輪ゴムホルダーは、枠体の後部に支持体を具備し、枠体の下部に輪ゴム収容掛部を有し、枠体の上部に枠外から枠内に亘り対面間隙に切欠いた輪ゴム挿出入部を形成し、輪ゴム挿出入部の枠外側と枠内側に輪ゴムガイドを形成して、収容した輪ゴムの１本を簡単に取外して使用できるようにしている。
【先行技術文献】
【特許文献】
【０００４】
【特許文献１】実用新案登録第３１３０８３５号公報
【特許文献２】実用新案登録第３１５６１０４号公報
【発明の概要】
【発明が解決しようとする課題】
【０００５】
特許文献１及び２に記載された輪ゴムホルダーは、いずれも１本の輪ゴムだけを複数の輪ゴムと絡むことなく輪ゴムホルダーから取出すことができるが、輪ゴムホルダーに輪ゴムを収容する際には、逆に１本ずつ収容しなければならず、複数の輪ゴムとまとめて収容することができないという課題があった。
本発明は、このような従来の構成が有していた課題を解決しようとするものであり、固定部と、保持部と、輪ゴムの保持部に対する着脱用の案内部とを備え、案内部を保持部の端部に固定するとともに、少なくとも案内部の上方を上端が保持部の上端よりも高くなるように大きく形成し、案内部の下方を保持部よりも下方に位置する先細状の先端部に形成して、１本の輪ゴムを保持部から取外しできながら、複数の輪ゴムをまとめて保持部に装着できるようにすることを目的としている。
【課題を解決するための手段】
【０００６】
請求項１に係る本発明の輪ゴムホルダーは、立設面に固定可能な固定部と、輪ゴムを着脱可能に保持する保持部と、前記輪ゴムの前記保持部に対する着脱用の案内部とを備えた輪ゴムホルダーであって、
前記保持部は、前記固定部から横方向外方に突出するとともに、前記輪ゴムが自然状態で前記保持部に保持されているときに、前記保持部の下方と前記輪ゴムの下方との間に隙間が形成される外形に形成しており、
前記案内部は、前記保持部の端部に固定するとともに、少なくとも前記案内部の上方を上端が前記保持部の上端よりも高くなるように大きく形成し、前記案内部の下方を前記保持部よりも下方に位置する先細状の先端部に形成し、
前記保持部の下方を、前記案内部に平行な縦断面が上方に膨出する窪み部に形成し、
前記案内部の下方中央を、上方が前記窪み部に合致する形状の凸状切欠部に形成し、
前記案内部の先細状の先端部は、前記凸状切欠部の左右下端からそれぞれ上方外方に延設することにより一対形成したものである。
【０００７】
請求項２に係る本発明の輪ゴムホルダーは、請求項１に係る本発明の構成に加え、前記保持部の窪み部の縦断面及び前記案内部の凸状切欠部は、円弧状としたものである。
【０００８】
請求項３に係る本発明の輪ゴムホルダーは、請求項１又は２に係る本発明の構成に加え、前記保持部の上部に、外周から下方に向けて前記固定部に直交する複数のスリット状の上部溝を形成するとともに、前記保持部の窪み部に、外周から上方に向けて前記固定部に直交する複数のスリット状の下部溝を形成したものである。
【０００９】
請求項４に係る本発明の輪ゴムホルダーは、請求項３に係る本発明の構成に加え、前記固定部、前記保持部及び前記案内部は、合成樹脂製の一体成形品としたものである。
【００１０】
請求項５に係る本発明の輪ゴムホルダーは、請求項１〜４のいずれかに係る本発明の構成に加え、前記固定部の裏面には粘着層を設けたものである。
【発明の効果】
【００１１】
請求項１に係る本発明の輪ゴムホルダーは、前記保持部は、前記固定部から横方向外方に突出するとともに、前記輪ゴムが自然状態で前記保持部に保持されているときに、前記保持部の下方と前記輪ゴムの下方との間に隙間が形成される外形に形成しており、前記案内部は、前記保持部の端部に固定するとともに、少なくとも前記案内部の上方を上端が前記保持部の上端よりも高くなるように大きく形成し、前記案内部の下方を前記保持部よりも下方に位置する先細状の先端部に形成しているから、輪ゴムの保持部への装着は複数本の輪ゴムをまとめて案内部の下方の先端部に引っ掛けた後に伸ばして、案内部の上方を乗越えて保持部に装着することができ、１本の輪ゴムの保持部からの取外しは１本の輪ゴムを保持部の下方に形成された輪ゴムとの隙間において掴んで、引っ張りながら案内部の下方の先端部から案内部の上方を乗越えて取外すことができるのである。
このように、複数の輪ゴムをまとめて保持部に容易に装着でき、かつ、１本の輪ゴムを保持部から簡単で確実に取外すことができるのである。
さらに、前記保持部の下方を、前記案内部に平行な縦断面が上方に膨出する窪み部に形成し、前記案内部の下方中央を、上方が前記窪み部に合致する形状の凸状切欠部に形成し、前記案内部の先細状の先端部は、前記凸状切欠部の左右下端からそれぞれ上方外方に延設することにより一対形成したから、輪ゴムホルダーに対する輪ゴムの着脱が一層容易、簡単、確実に行うことができるのである。
【００１２】
請求項２に係る本発明の輪ゴムホルダーは、請求項１に係る本発明の効果に加え、前記保持部の窪み部の縦断面及び前記案内部の凸状切欠部は、円弧状であるから、輪ゴムホルダーに対する輪ゴムの着脱を円弧に沿って円滑に行うことができるのである。
【００１３】
請求項３に係る本発明の輪ゴムホルダーは、請求項１又は２に係る本発明の効果に加え、前記保持部の上部に、外周から下方に向けて前記固定部に直交する複数のスリット状の上部溝を形成するとともに、前記保持部の窪み部に、外周から上方に向けて前記固定部に直交する複数のスリット状の下部溝を形成したから、保持部の材料費を節減できるとともに軽量にできるのである。
【００１４】
請求項４に係る本発明の輪ゴムホルダーは、請求項３に係る本発明の効果に加え、前記固定部、前記保持部及び前記案内部は、合成樹脂製の一体成形品であるから、多量生産が容易であり、かつ安価に生産できるのである。
【００１５】
請求項５に係る本発明の輪ゴムホルダーは、請求項１〜４のいずれかに係る本発明の効果に加え、前記固定部の裏面には粘着層を設けているから、壁、家具、什器などの立設面に簡単に設置できるのである。
【図面の簡単な説明】
【００１６】
【図１】本発明の実施の形態に係る輪ゴムホルダーの斜視図である。
【図２】図１の正面図である。
【図３】図１の背面図である。
【図４】図１の右側面図である。
【図５】図１の平面図である。
【図６】図１の底面図である。
【図７】図５のＡ−Ａ線断面図である。
【図８】本発明の実施の形態に係る輪ゴムホルダーに輪ゴムを装着した状態を示す斜視図である。
【図９】図８において１本の輪ゴムを掴んだ状態を示す斜視図である。
【図１０】図９において１本の輪ゴムを取外す際の途中状態を示す斜視図である。
【発明を実施するための形態】
【００１７】
以下、本発明の実施の形態を添付した図面により詳細に説明する。
図１〜図１０は、本発明の実施の形態に係る図面であり、図１は輪ゴムホルダーの斜視図、図２は図１の正面図、図３は図１の背面図、図４は図１の右側面図、図５は図１の平面図、図６は図１の底面図、図７は図５のＡ−Ａ線断面図、図８は輪ゴムホルダーに輪ゴムを装着した状態を示す斜視図、図９は図８において１本の輪ゴムを掴んだ状態を示す斜視図及び図１０は図９において１本の輪ゴムを取外す際の途中状態を示す斜視図である。
【００１８】
本発明の実施の形態に係る輪ゴムホルダーを図１〜図１０に基づき説明する。
１は、輪ゴムホルダーであり、壁、家具、什器などの立設面に固定可能な固定部２と、図８〜図１０に示す輪ゴム１１を着脱可能に保持する保持部３と、輪ゴム１１の保持部３に対する着脱用の案内部４とを備えている。
【００１９】
固定部２の裏面には、図３に示すように、正方形状の粘着層５を設けて壁、家具、什器などの立設面に固定可能としている。
粘着層５は、図示を省略するが、固定部２に粘着されたアクリルフォーム粘着層と、このアクリルフォーム粘着層に接着されたポリウレタン自己粘着層と、このポリウレタン自己粘着層を保護するポリエチレンテレフタレート製の剥離フィルムとを積層して形成している。
【００２０】
そして、輪ゴムホルダー１を壁などの立設面に固定するときは、剥離フィルムを剥がしてポリウレタン粘着層を、立設面に粘着して固定するのである。
また、輪ゴムホルダー１の設置場所（固定場所）を変更するときは、ポリウレタン自己粘着層を立設面から剥がして変更後の立設面に粘着して再固定することができるようにしている。
【００２１】
保持部３は、固定部２から横方向外方（固定部２に直交して水平）に突出するとともに、輪ゴム１１が自然状態で保持部２に保持されているときに、図８〜図１０に示すように、保持部２の下方と輪ゴム１１の下方との間に隙間１２が形成される外形に形成している。
そして、保持部３は、図７に示すように、保持部３の上部に、外周から下方に向けて固定部２に直交する複数（６本）のスリット状の上部溝３１を形成している。
【００２２】
保持部２の下方と輪ゴム１１の下方との間に形成した隙間１２は、具体的には、保持部３の端部に固定した案内部４に平行な縦断面が上方に膨出する直径約３０ｍｍの円弧状の窪み部３２（図７参照）により形成している。
また、窪み部３２には、図７に示すように、外周から上方に向けて固定部２に直交する複数（６本）のスリット状の下部溝３３を形成している。
【００２３】
このように、保持部３の上下に上部溝３１と下部溝３３とを形成することにより、保持部３の材料費を節減するとともに軽量にしている。
また、保持部３は、窪み部３２を除いて、図７に示す断面外方端部を結ぶ曲線が直径約３５ｍｍの円弧状となるように形成するとともに、円弧状の中心が固定部２の中心よりも２．５ｍｍ上方に位置するようにしている。
【００２４】
そして、自然状態の内径３８ｍｍの輪ゴム１１が直径約３５ｍｍの円弧状の保持部３に余裕を持って装着できるようにしている。
つぎに、案内部４は、固定部２と同心で、上記のとおり保持部３の端部に固定するとともに、案内部４の上方を上端が保持部３の上端よりも１１ｍｍ高くなるように直径約６０ｍｍの円弧状で大きく形成している。
【００２５】
そして、案内部４の下方中央を、上方が窪み部３２の断面外方端部を結ぶ直径約３０ｍｍの円弧に合致する円弧状の凸状切欠部４１に形成している。
このように、案内部４の下方は、円弧状の凸状切欠部４１により、保持部３よりも下方に位置する先細状の先端部４２に形成している。
【００２６】
案内部４の先細状の先端部４２は、具体的には、凸状切欠部４１の左右下端からそれぞれ上方外方に延設することにより一対形成している。
また、固定部２、保持部３及び案内部４は、粘着層５を除いて、ポリスチレン製の合成樹脂による一体成形品であり、多量生産が容易であり、かつ安価に生産可能としている。
【００２７】
つぎに、以上のように形成した輪ゴムホルダー１に対して輪ゴム１１の着脱を説明する。
まず、輪ゴム１１の保持部３への装着は、複数本の輪ゴム１１をまとめて案内部４の下方の一対の先端部４２のいずれか一方に引っ掛けた後に伸ばして、案内部４の上方を乗越えて保持部３に装着するのである。
【００２８】
このように、複数本の輪ゴム１１をまとめて一度に輪ゴムホルダー１の保持部３に容易に装着することができるのである。
また、１本の輪ゴム１１の保持部３からの取外しは、図９に示すように、１本の輪ゴム１１を保持部３の下方に形成された輪ゴム１１との隙間１２において掴むのである。
【００２９】
そして、図１０に示すように、輪ゴム１１を引っ張りながら案内部４の下方の一対の先端部４２のいずれか一方から矢印Ｂの方向に移動して案内部４の上方を乗越えて取外すのである。
このように、１本の輪ゴム１１を保持部３から簡単で確実に取外すことができるのである。
【００３０】
つぎに、本発明の実施の形態の変形例を説明する。
以上の実施の形態では、保持部の下方を案内部に平行な縦断面が上方に膨出する円弧状の窪み部に形成して、輪ゴムの下方との間に隙間が形成されるようにしたが、窪み部の形状は円弧状に替えて各種形状にすることができる。
【００３１】
また、以上の実施の形態では、案内部の下方中央を、上方が窪み部に合致する円弧状の凸状切欠部に形成し、案内部の先細状の先端部は、凸状切欠部の左右下端からそれぞれ上方外方に延設することにより一対形成したが、円弧状の凸状切欠部に替えて少なくとも１個の先細状の先端部があればよいのである。
以上の実施の形態では、保持部の上部と下部の窪み部とに、複数のスリット状の上部溝と複数のスリット状の下部溝とを形成したが、これら上部溝及び下部溝を形成しなくてもよいのである。
【００３２】
また、以上の実施の形態では、固定部、保持部及び案内部を、材質をポリスチレンとした合成樹脂製の一体成形品としたが、他の材質の合成樹脂製の一体成形品としてもよく、一体成形品に替えて一部を他の材質にして接着剤で一体化してもよい。
さらに、以上の実施の形態では、固定部の裏面には粘着層を設けたが、粘着層を設けることなく、磁石、吸盤、接着剤、ビスなどの各種固定具によることもできる。
【００３３】
以上の実施の形態では、材質を例示するとともに、一部の寸法を例示したが、材質と寸法を適宜変更ができることはもちろんである。
【符号の説明】
【００３４】
１    輪ゴムホルダー
１１  輪ゴム
１２  隙間
２    固定部
３    保持部
３１  上部溝
３２  窪み部
３３  下部溝
４    案内部
４１  凸状切欠部
４２  先端部
５    粘着層
【図１】
0006623037.tif 000002
【図２】
0006623037.tif 000003
【図３】
0006623037.tif 000004
【図４】
0006623037.tif 000005
【図５】
0006623037.tif 000006
【図６】
0006623037.tif 000007
【図７】
0006623037.tif 000008
【図８】
0006623037.tif 000009
【図９】
0006623037.tif 000010
【図１０】
0006623037.tif 000011